(57)【要約】【課題】メインユーザーが視認する通知状況画像を、ゲストユーザーに視認させないことができる情報通信装置を提供する。【解決手段】情報通信装置（携帯電話機１００）は、周期的に開閉させて光の透過率を切り換える左眼用および右眼用のシャッター（２６０Ｌ，２６０Ｒ，３６０Ｌ，３６０Ｒ）を有する第１のシャッターメガネ２００と第２のシャッターメガネ３００とともに用いられ、通知情報を受信する情報受信部と、画像情報に基づいた左眼用画像および右眼用画像を含む画像を周期的に表示し、さらに、左眼用画像および右眼用画像の少なくとも一方に通知状況画像を付加表示する表示部と、表示部が周期的に表示する画像に通知状況画像を付加表示するときに、第１のシャッターメガネより第２のシャッターメガネのシャッターの光の透過率を低くさせる所定の制御信号を、第１のシャッターメガネと第２のシャッターメガネとに送信する信号制御部と、を有する。【選択図】図１
2013239946.tif 000002
【特許請求の範囲】
【請求項１】
周期的に開閉させて光の透過率を切り換える左眼用および右眼用のシャッターを有する第１のシャッターメガネと第２のシャッターメガネとともに用いられる情報通信装置であって、
通知情報を受信する情報受信部と、
画像情報に基づいた左眼用画像および右眼用画像を含む画像を周期的に表示し、さらに、前記左眼用画像および前記右眼用画像の少なくとも一方に、前記通知情報を受信したことを表す通知状況画像を付加表示する表示部と、
前記表示部が周期的に表示する前記画像に前記通知状況画像を付加表示するときに、前記第１のシャッターメガネより前記第２のシャッターメガネのシャッターの光の透過率を低くさせる所定の制御信号を、前記第１のシャッターメガネと前記第２のシャッターメガネとに送信する信号制御部と、
を有することを特徴とする情報通信装置。
【請求項２】
請求項１に記載の情報通信装置であって、
前記表示部は、前記通知状況画像を付加表示する場合には、前記通知状況画像を付加表示する画像フレームとは異なる画像フレームにフェイク画像を付加表示し、
前記信号制御部は、前記異なる画像フレームが表示されるときに、前記所定の制御信号を送信しないことを特徴とする情報通信装置。
【請求項３】
請求項２に記載の情報通信装置であって、
前記表示部は、前記通知状況画像を付加表示する画像フレームの直前の画像フレーム、または直後の画像フレームに、フェイク画像を付加表示し、
前記信号制御部は、前記直前の画像フレームまたは前記直後の画像フレームが表示されるときに、前記所定の制御信号を送信しないことを特徴とする情報通信装置。
【請求項４】
請求項１に記載の情報通信装置であって、
前記第２のシャッターメガネは、
前記第２のシャッターメガネが装着されているか否かを判断する装着判断部と、
前記装着判断部の判断結果を前記情報通信装置に送信する送信部と、
を有しており、
前記情報通信装置は、
前記第２のシャッターメガネからの前記判断結果の情報を受信する受信部を有し、
受信された前記判断結果の情報が装着されていないことを表していた場合には、前記表示部は、前記通知状況画像を付加表示させないことを特徴とする情報通信装置。
【請求項５】
周期的に開閉させて光の透過率を切り換える左眼用および右眼用のシャッターを有する第１のシャッターメガネと第２のシャッターメガネとともに用いられる情報通信装置の制御方法であって、
通知情報を受信する情報受信ステップと、
画像情報に基づいた左眼用画像および右眼用画像を含む画像を周期的に表示し、さらに、前記左眼用画像および前記右眼用画像の少なくとも一方に、前記通知情報を受信したことを表す通知状況画像を付加表示する表示ステップと、
前記表示ステップによって、周期的に表示する前記画像に前記通知状況画像を付加表示するときに、前記第１のシャッターメガネより前記第２のシャッターメガネのシャッターの光の透過率を低くさせる所定の制御信号を、前記第１のシャッターメガネと前記第２のシャッターメガネとに送信する信号制御ステップと、
を有することを特徴とする情報通信装置の制御方法。
【請求項６】
周期的に開閉させて光の透過率を切り換える左眼用および右眼用のシャッターを有する第１のシャッターメガネと、
周期的に開閉させて光の透過率を切り換える左眼用および右眼用のシャッターを有する第２のシャッターメガネと、
通知情報を受信する情報受信部と、画像情報に基づいた左眼用画像および右眼用画像を含む画像を周期的に表示する表示部を有する情報通信装置と、
を備える情報通信システムであって、
前記情報通信装置の前記表示部は、前記左眼用画像および前記右眼用画像の少なくとも一方に、前記通知情報を受信したことを表す通知状況画像を付加表示可能とし、
前記情報通信装置は、前記表示部が周期的に表示する前記画像に前記通知状況画像を付加表示するときに、前記第１のシャッターメガネより前記第２のシャッターメガネのシャッターの光の透過率を低くさせるシャッター制御部を有することを特徴とする情報通信システム。
【請求項７】
周期的に開閉させて光の透過率を切り換える左眼用および右眼用のシャッターを有するシャッターメガネと、
通知情報を受信する情報受信部と、画像情報に基づいた左眼用画像および右眼用画像を含む画像を周期的に表示する表示部を有する情報通信装置と、
を備える情報通信システムであって、
前記情報通信装置の前記表示部は、前記左眼用画像および前記右眼用画像の少なくとも一方に、前記通知情報を受信したことを表す通知状況画像を付加表示可能とし、
前記シャッターメガネは、第１の設定と第２の設定を有し、
前記情報通信装置は、前記表示部が周期的に表示する前記画像に前記通知状況画像を付加表示するときに、シャッターメガネが前記第１の設定のときより前記シャッターメガネが前記第２の設定のときのシャッターの光の透過率を低くさせるシャッター制御部を有することを特徴とする情報通信システム。
【発明の詳細な説明】
【技術分野】
【０００１】
本発明は、情報通信装置、情報通信装置の制御方法、および情報通信システムに関する。
【背景技術】
【０００２】
従来、１つの画面に時分割で複数の画像を表示させ、画像の変化に同期して開閉する複数のシャッターメガネを用いることで、複数の鑑賞者が複数の画像をそれぞれ分離して視認可能な技術が知られている（特許文献１）。また、この技術を利用して、左右の眼に相当する視差画像を表示することで鑑賞者が立体像（３Ｄ画像）を視認可能な技術が知られている（特許文献２）。
【先行技術文献】
【特許文献】
【０００３】
【特許文献１】特開平９−１０１７４９号公報
【特許文献２】特開昭６１−２２７４９８号公報
【発明の概要】
【発明が解決しようとする課題】
【０００４】
近年、上述したような技術を用いた画像表示装置を用いて、３Ｄ画像コンテンツを複数人で鑑賞する場面が増えている。しかしながら、画像表示装置が表示する内容によっては、必ずしも全ての鑑賞者で共有すべき情報でない場合もある。例えば、画像表示装置が電子メール等の通知情報を受信する機能を有している場合、即ち情報通信装置（情報通信端末）である場合は、情報通信装置の所有者であるメインユーザーは、電子メールを受信したことを表す通知状況情報（メールアイコン等）を視認したいが、その他の鑑賞者（ゲストユーザー）には視認させたくない場合がある。
【課題を解決するための手段】
【０００５】
本発明は、上述の課題の少なくとも一部を解決するためになされたものであり、以下の形態または適用例として実現することが可能である。
【０００６】
［適用例１］本適用例に係る情報通信装置は、周期的に開閉させて光の透過率を切り換える左眼用および右眼用のシャッターを有する第１のシャッターメガネと第２のシャッターメガネとともに用いられる情報通信装置であって、通知情報を受信する情報受信部と、画像情報に基づいた左眼用画像および右眼用画像を含む画像を周期的に表示し、さらに、前記左眼用画像および前記右眼用画像の少なくとも一方に、前記通知情報を受信したことを表す通知状況画像を付加表示する表示部と、前記表示部が周期的に表示する前記画像に前記通知状況画像を付加表示するときに、前記第１のシャッターメガネより前記第２のシャッターメガネのシャッターの光の透過率を低くさせる所定の制御信号を、前記第１のシャッターメガネと前記第２のシャッターメガネとに送信する信号制御部と、を有することを特徴とする。
【０００７】
このような情報通信装置によれば、表示部は、左眼用画像および右眼用画像を周期的に表示し、さらに通知状況画像を付加表示する。信号制御部は、周期的に表示する画像に通知状況画像を付加表示するときに、第１のシャッターメガネより第２のシャッターメガネのシャッターの光の透過率を低くさせる所定の制御信号を第１のシャッターメガネと第２のシャッターメガネとに送信する。これにより、通知状況画像を表示するときには、第２のシャッターメガネの光の透過率を低くさせることが可能になる。よって、第１のシャッターメガネを装着しているユーザーには、通知状況画像を視認させ、第２のシャッターメガネを装着しているユーザーには、通知状況画像を視認させない、或いは視認を困難にさせることが可能となる。
【０００８】
［適用例２］上記適用例に係る情報通信装置において、前記表示部は、前記通知状況画像を付加表示する場合には、前記通知状況画像を付加表示する画像フレームとは異なる画像フレームにフェイク画像を付加表示し、前記信号制御部は、前記異なる画像フレームが表示されるときに、前記所定の制御信号を送信しないことを特徴とする。
【０００９】
このような情報通信装置によれば、表示部は、通知状況画像を付加表示する画像フレームとは異なる画像フレームにフェイク画像（即ちごまかし画像）を付加表示し、信号制御部は、異なる画像フレームが表示されるときには、所定の制御信号を送信しない。これにより、第２のシャッターメガネを装着しているユーザーが、フェイク画像を視認することで、通知状況画像が表示されている期間、画像を視認できないことによって感じる違和感を低減することができる。
【００１０】
［適用例３］上記適用例に係る情報通信装置において、前記表示部は、前記通知状況画像を付加表示する画像フレームの直前の画像フレーム、または直後の画像フレームに、フェイク画像を付加表示し、前記信号制御部は、前記直前の画像フレームまたは前記直後の画像フレームが表示されるときに、前記所定の制御信号を送信しないことを特徴とする。
【００１１】
このような情報通信装置によれば、表示部は、通知状況画像を付加表示する画像フレームの直前の画像フレーム、または直後の画像フレームに、フェイク画像を付加表示し、信号制御部は、直前の画像フレームまたは直後の画像フレームが表示されるときには、所定の制御信号を送信しない。これにより、通知状況画像が付加表示されている画像フレームの近傍の画像フレームにおいてフェイク画像が付加表示される。よって、第２のシャッターメガネを装着しているユーザーが、フェイク画像を視認することで、通知状況画像が表示されている期間、画像を視認できないことによって感じる違和感を、効果的に低減することができる。
【００１２】
［適用例４］上記適用例に係る情報通信装置において、前記第２のシャッターメガネは、前記第２のシャッターメガネが装着されているか否かを判断する装着判断部と、前記装着判断部の判断結果を前記情報通信装置に送信する送信部と、を有しており、前記情報通信装置は、前記第２のシャッターメガネからの前記判断結果の情報を受信する受信部を有し、受信された前記判断結果の情報が装着されていないことを表していた場合には、前記表示部は、前記通知状況画像を付加表示させないことを特徴とする。
【００１３】
このような情報通信装置によれば、受信部は、第２のシャッターメガネが装着されているか否かの判断結果の情報を受信する。表示部は、第２のシャッターメガネが装着されていない場合には、通知状況画像を付加表示させない。これにより、ゲストユーザーが第２のシャッターメガネを装着していない場合には、通知状況画像が付加表示されないため、ゲストユーザーが、通知状況画像を視認してしまうことを回避できる。
【００１４】
［適用例５］本適用例に係る情報通信装置の制御方法は、周期的に開閉させて光の透過率を切り換える左眼用および右眼用のシャッターを有する第１のシャッターメガネと第２のシャッターメガネとともに用いられる情報通信装置の制御方法であって、通知情報を受信する情報受信ステップと、画像情報に基づいた左眼用画像および右眼用画像を含む画像を周期的に表示し、さらに、前記左眼用画像および前記右眼用画像の少なくとも一方に、前記通知情報を受信したことを表す通知状況画像を付加表示する表示ステップと、前記表示ステップによって、周期的に表示する前記画像に前記通知状況画像を付加表示するときに、前記第１のシャッターメガネより前記第２のシャッターメガネのシャッターの光の透過率を低くさせる所定の制御信号を、前記第１のシャッターメガネと前記第２のシャッターメガネとに送信する信号制御ステップと、を有することを特徴とする。
【００１５】
このような情報通信装置の制御方法によれば、通知状況画像を表示するときには、第２のシャッターメガネの光の透過率を低くさせることが可能になる。よって、第１のシャッターメガネを装着しているユーザーには、通知状況画像を視認させ、第２のシャッターメガネを装着しているユーザーには、通知状況画像を視認させない、或いは視認を困難にさせることが可能となる。
【００１６】
［適用例６］本適用例に係る情報通信システムは、周期的に開閉させて光の透過率を切り換える左眼用および右眼用のシャッターを有する第１のシャッターメガネと、周期的に開閉させて光の透過率を切り換える左眼用および右眼用のシャッターを有する第２のシャッターメガネと、通知情報を受信する情報受信部と、画像情報に基づいた左眼用画像および右眼用画像を含む画像を周期的に表示する表示部を有する情報通信装置と、を備える情報通信システムであって、前記情報通信装置の前記表示部は、前記左眼用画像および前記右眼用画像の少なくとも一方に、前記通知情報を受信したことを表す通知状況画像を付加表示可能とし、前記情報通信装置は、前記表示部が周期的に表示する前記画像に前記通知状況画像を付加表示するときに、前記第１のシャッターメガネより前記第２のシャッターメガネのシャッターの光の透過率を低くさせるシャッター制御部を有することを特徴とする。
【００１７】
このような情報通信システムによれば、通知状況画像を表示するときには、第２のシャッターメガネの光の透過率を低くさせることが可能になる。よって、第１のシャッターメガネを装着しているユーザーには、通知状況画像を視認させ、第２のシャッターメガネを装着しているユーザーには、通知状況画像を視認させない、或いは視認を困難にさせることが可能となる。
【００１８】
［適用例７］本適用例に係る情報通信システムは、周期的に開閉させて光の透過率を切り換える左眼用および右眼用のシャッターを有するシャッターメガネと、通知情報を受信する情報受信部と、画像情報に基づいた左眼用画像および右眼用画像を含む画像を周期的に表示する表示部を有する情報通信装置と、を備える情報通信システムであって、前記情報通信装置の前記表示部は、前記左眼用画像および前記右眼用画像の少なくとも一方に、前記通知情報を受信したことを表す通知状況画像を付加表示可能とし、前記シャッターメガネは、第１の設定と第２の設定を有し、前記情報通信装置は、前記表示部が周期的に表示する前記画像に前記通知状況画像を付加表示するときに、シャッターメガネが前記第１の設定のときより前記シャッターメガネが前記第２の設定のときのシャッターの光の透過率を低くさせるシャッター制御部を有することを特徴とする。
【００１９】
このような情報通信システムによれば、通知状況画像を表示するときに、シャッターメガネが第１の設定のときよりシャッターメガネが第２の設定のときのシャッターの光の透過率を低くさせる。よって、シャッターメガネが第１の設定のときには、シャッターメガネを装着しているユーザーは、通知状況画像を視認することができ、シャッターメガネが第２の設定のときには、シャッターメガネを装着しているユーザーは、通知状況画像を視認できない、或いは視認を困難にすることができる。
【００２０】
また、上述した情報通信装置、情報通信装置の制御方法および情報通信システムが、情報通信装置、シャッターメガネに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、情報通信装置、シャッターメガネの内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００２１】
【図１】本実施形態に係る情報通信システムの概略構成を示す斜視図。
【図２】携帯電話機の内部構成を示すブロック図。
【図３】第１の液晶シャッターメガネおよび第２の液晶シャッターメガネの内部構成を示すブロック図。
【図４】情報通信システムの動作を説明するためのタイミングチャート。
【図５】携帯電話機が表示する画像の説明図であり、（ａ）は、通常画像の説明図、（ｂ）は、電子メール受信時の画像の説明図。
【図６】携帯電話機が画像フレームを切り替える際に行う判断処理のフローチャート。
【図７】第１の液晶シャッターメガネおよび第２の液晶シャッターメガネの処理のフローチャート。
【図８】メールアイコン画像を表示させる場合の情報通信システムの動作を説明するためのタイミングチャート。
【図９】フェイク画像を表示させる場合の情報通信システムの動作を説明するためのタイミングチャート。
【図１０】携帯電話機のプロジェクター機能部がフェイク画像としての電池アイコン画像を表示している画像の説明図。
【図１１】第２の液晶シャッターメガネが非装着の場合の情報通信システムの動作を説明するためのタイミングチャート。
【発明を実施するための形態】
【００２２】
以下、実施形態として、光源から射出された光を画像情報に基づいて変調して光学像を形成し、この光学像を外部のスクリーン等に投写するプロジェクター機能を有する情報通信装置としての携帯電話機と、第１のシャッターメガネとしての第１の液晶シャッターメガネ、および第２のシャッターメガネとしての第２の液晶シャッターメガネと、を有する情報通信システムについて説明する。
【００２３】
（実施形態）
図１は、本実施形態に係る情報通信システムの概略構成を示す斜視図である。
図１に示すように、情報通信システム１は、両眼視差を利用して鑑賞者に立体像を認識させるシステムであり、プロジェクター機能部を有する携帯電話機１００と、第１の液晶シャッターメガネ２００と、第２の液晶シャッターメガネ３００とを備えて構成されている。
【００２４】
携帯電話機１００は、装置本体を収容する筐体５を備えて構成されており、筐体５の天面５ｔには、ユーザーにより入力操作が行われる操作受付部２１が配置されている。さらに、筐体５の天面５ｔには、液晶ディスプレイ２２が配置されている。なお、この液晶ディスプレイ２２は、入力装置と表示装置とが一体化されたタッチパネルであってもよい。
【００２５】
筐体５の背面５ｂには、入力端子を備えた画像情報入力部３０が設けられており、画像情報入力部３０には、外部の画像供給装置（図示省略）から画像情報が入力される。さらに、図１では図示しないが、筐体５の前面には、投写レンズが露出されており、この投写レンズから、入力された画像情報、または携帯電話機１００によって生成された画像情報に基づく画像が前方の投写面（例えば、スクリーン）ＳＣに投写される。  
【００２６】
画像情報入力部３０には、左眼用の画像を表す左眼用の画像情報と、右眼用の画像を表す右眼用の画像情報とが入力され、携帯電話機１００のプロジェクター機能部は、左眼用の画像と右眼用の画像とをフレーム単位で時分割して投写面ＳＣ上に交互に投写（表示）する。また、携帯電話機１００のプロジェクター機能部は、左眼用の画像と右眼用の画像との切り替えに同期するための無線通信の制御信号を送受信する送受信制御部（ここでは図示せず）を備えている。
【００２７】
第１の液晶シャッターメガネ２００および第２の液晶シャッターメガネ３００は、携帯電話機１００が投写する画像を鑑賞する鑑賞者に装着されるものであり、鑑賞者の左眼に対峙する左眼用の液晶シャッター２６０Ｌ（３６０Ｌ）と、右眼に対峙する右眼用の液晶シャッター２６０Ｒ（３６０Ｒ）とを備えている。また、図示しないが、第１の液晶シャッターメガネ２００および第２の液晶シャッターメガネ３００には、携帯電話機１００から送信される無線通信の制御信号を送受信するための送受信部が設けられている。第１の液晶シャッターメガネ２００および第２の液晶シャッターメガネ３００は、左眼用の画像が鑑賞者の左眼のみで認識され、右眼用の画像が鑑賞者の右眼のみで認識されるよう、制御信号に同期して左右の液晶シャッター２６０Ｌ（３６０Ｌ），２６０Ｒ（３６０Ｒ）を交互に開放させる。
【００２８】
また、第１の液晶シャッターメガネ２００および第２の液晶シャッターメガネ３００の側面（つるの部分）には、液晶シャッターメガネを、メインユーザーが使用するためのメイン状態とするか、ゲストユーザーが使用するためのゲスト状態とするかを切り替えるゲスト設定スイッチ２５０（３５０）を備えている。
【００２９】
図２は、本実施形態に係る携帯電話機１００の内部構成を示すブロック図である。
図２に示すように、携帯電話機１００は、携帯電話機能部１１０およびプロジェクター機能部１２０を有している。携帯電話機能部１１０は、通信部１１１、操作受付部２１、第１の制御部１１３、画像生成部１１４、液晶ディスプレイ２２等を備えている。
【００３０】
通信部１１１は、携帯電話機１００の通信部として機能し、発信や着信、電子メールの送受信等を行う。また、通信部１１１は、インターネット等のネットワーク通信を可能としてもよい。ここで、通信部１１１が、特許請求の範囲における情報受信部に相当する。
【００３１】
操作受付部２１は、ユーザーの入力操作を受け付けるものであり、ユーザーが携帯電話機１００に対して各種指示を行うための複数の操作キーを備えている。本実施形態の操作受付部２１が備える操作キーとしては、電源のオン・オフを切り替えるための電源キー、各種設定用のメニュー画像を表示させるメニューキー、メニュー画像における項目の選択等に用いられる方向キー、選択した項目を確定させるための決定キー等がある。また、液晶ディスプレイ２２がタッチパネルを有している場合には、タッチパネルの操作は、操作受付部２１が受け付けるものとする。
【００３２】
ユーザーが操作受付部２１の各種操作キーやタッチパネルを操作すると、操作受付部２１は、この入力操作を受け付けて、ユーザーの操作内容に応じた操作信号を第１の制御部１１３に出力する。なお、操作受付部２１として、遠隔操作が可能なリモコン（図示せず）を用いた構成としてもよい。この場合、リモコンは、ユーザーの操作内容に応じた赤外線等の操作信号を発信し、図示しない受信手段がこれを受信して第１の制御部１１３に伝達する。
【００３３】
第１の制御部１１３は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することにより携帯電話機能部１１０の動作を統括制御する。つまり、第１の制御部１１３は、コンピューターとして機能する。なお、操作受付部２１が受け付けた入力操作は、第１の制御部１１３から第２の制御部１２１にも伝達される。
【００３４】
画像生成部１１４は、第１の制御部１１３から出力される情報に基づいて、画像情報を生成する。具体的には、携帯電話機１００の各種画面に応じた画像情報を生成する。さらに、通知情報としての着信があった場合の着信アイコン画像や、通知情報としての電子メールを受信したときのメールアイコン画像、電池残量を表す電池アイコン画像等のアイコン画像情報を生成する。そして、これらのアイコン画像情報を含む画像情報を液晶ディスプレイ２２および画像情報入力部３０に出力する。ここで、メールアイコン画像や着信アイコン画像が、特許請求の範囲における通知状況画像に相当する。
【００３５】
液晶ディスプレイ２２は、マトリクス状に配列された多数の画素で画像を形成するものであり、画像生成部１１４から入力される画像情報を表示する。なお、本実施形態では、液晶ディスプレイとしているが、他のディスプレイ装置としてもよい。
【００３６】
プロジェクター機能部１２０は、画像投写部１４０、第２の制御部１２１、画像情報入力部３０、画像情報判定部１３１、画像処理部１３２、ＯＳＤ処理部１３３、送受信制御部１５０等を備えている。
【００３７】
画像投写部１４０は、光源装置１４２、光変調装置としての３つの液晶ライトバルブ１４３Ｒ，１４３Ｇ，１４３Ｂ、投写光学系としての投写レンズ１４５、液晶駆動部１４１等で構成されている。画像投写部１４０は、光源装置１４２から射出された光を液晶ライトバルブ１４３Ｒ，１４３Ｇ，１４３Ｂで変調して画像（画像光）を形成する。そして、形成した画像を、投写レンズ１４５から前方、即ち筐体５の前面に略垂直な方向に向けて拡大投写して、投写面ＳＣ等に表示する。
【００３８】
光源装置１４２は、超高圧水銀ランプやメタルハライドランプ等からなる放電型の光源ランプ１４２ａと、光源ランプ１４２ａが放射した光を液晶ライトバルブ１４３Ｒ，１４３Ｇ，１４３Ｂ側に反射するリフレクター１４２ｂとを含んで構成されている。光源装置１４２から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１４３Ｒ，１４３Ｇ，１４３Ｂに入射する。
【００３９】
液晶ライトバルブ１４３Ｒ，１４３Ｇ，１４３Ｂは、一対の透明基板間に液晶が封入された液晶パネル等によって構成される。液晶ライトバルブ１４３Ｒ，１４３Ｇ，１４３Ｂには、マトリクス状に配列された複数の画素が形成されており、液晶に対して画素毎に駆動電圧を印加可能になっている。そして、液晶駆動部１４１の駆動により、入力される画像情報に応じた駆動電圧が各画素に印加されると、各画素は、画像情報に応じた光透過率に設定される。このため、光源装置１４２から射出された光は、この液晶ライトバルブ１４３Ｒ，１４３Ｇ，１４３Ｂを透過することによって変調され、画像情報に応じた画像光が色光毎に形成される。形成された各色の画像光は、図示しない色合成光学系によって画素毎に合成されてカラー画像となった後、投写レンズ１４５から拡大投写される。
【００４０】
第２の制御部１２１は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター機能部１２０の動作を統括制御する。つまり、第２の制御部１２１は、コンピューターとして機能する。なお、前述したように操作受付部２１が受け付けた入力操作は、第１の制御部１１３を介して第２の制御部１２１にも伝達される。また、第２の制御部１２１は、必要に応じて、第１の制御部１１３にアイコン画像情報の生成を依頼する。このように、第１の制御部１１３と第２の制御部１２１とは、連携処理を行いながら携帯電話機１００を制御する。
【００４１】
画像情報入力部３０には、携帯電話機能部１１０の画像生成部１１４、またはパーソナルコンピューターや各種映像再生装置等の図示しない外部の画像供給装置から、左眼用および右眼用の画像情報が入力される。そして、画像情報入力部３０は、入力された画像情報を画像情報判定部１３１に出力する。外部の画像供給装置から画像情報を入力する場合には、画像情報入力部３０は、入力された画像情報に、画像生成部１１４で生成されたアイコン画像情報を合成して画像情報判定部１３１に出力する。
【００４２】
画像情報判定部１３１は、画像情報入力部３０から入力される画像情報を解析し、３Ｄの画像情報（３次元の画像情報、即ち左眼用の画像情報および右眼用の画像情報を有する画像情報）か、２Ｄの画像情報（２次元の画像情報）か、を判定して、第２の制御部１２１に通知する。さらに、画像情報判定部１３１は、画像情報を画像処理部１３２で処理可能な形式の画像情報に変換して、画像処理部１３２に出力する。
【００４３】
画像処理部１３２は、画像情報判定部１３１から入力される左眼用および右眼用の画像情報を、液晶ライトバルブ１４３Ｒ，１４３Ｇ，１４３Ｂの各画素の階調を表す画像情報に変換する。ここで、変換された画像情報は、Ｒ，Ｇ，Ｂの色光別になっており、各液晶ライトバルブ１４３Ｒ，１４３Ｇ，１４３Ｂのすべての画素に対応する複数の画素値によって構成されている。画素値とは、対応する画素の光透過率を定めるものであり、この画素値によって、各画素から射出する光の強弱（階調）が規定される。また、画像処理部１３２は、第２の制御部１２１の指示に基づき、変換した画像情報に対して、明るさやコントラスト等を調整するための画質調整処理等を必要に応じて行う。
【００４４】
画像処理部１３２は、画像情報を一時的に記憶する画像メモリー（図示省略）を備えており、左眼用および右眼用の画像情報は、各種処理が施された後、フレーム単位で画像メモリーに記憶される。そして、画像処理部１３２は、第２の制御部１２１からの指示に基づいて、画像メモリーに記憶されている左眼用および右眼用の画像情報を１フレームずつ交互にＯＳＤ処理部１３３に出力する。
【００４５】
ＯＳＤ処理部１３３は、第２の制御部１２１の指示に基づいて、入力された画像情報に基づく画像フレーム上に、メニュー画像やメッセージ画像等のＯＳＤ（オンスクリーンディスプレイ）画像を重畳して表示するための処理を行う。本実施形態では、ＯＳＤ処理部１３３は、第２の制御部１２１の指示に基づいて、左眼用の画像フレームおよび右眼用の画像フレームの双方にＯＳＤ画像を重畳する。ＯＳＤ処理部１３３は、図示しないＯＳＤメモリーを備えており、ＯＳＤ画像を形成するための図形やフォント等を表すＯＳＤ画像情報を記憶している。第２の制御部１２１が、ＯＳＤ画像の重畳を指示すると、ＯＳＤ処理部１３３は、必要なＯＳＤ画像情報をＯＳＤメモリーから読み出し、画像フレーム上の所定の位置にＯＳＤ画像が重畳されるように、画像処理部１３２から入力される画像情報にこのＯＳＤ画像情報を合成する。ＯＳＤ画像情報が合成された画像情報は、液晶駆動部１４１に出力される。なお、第２の制御部１２１からＯＳＤ画像を重畳する旨の指示がない場合には、ＯＳＤ処理部１３３は、画像処理部１３２から入力される画像情報を、そのまま液晶駆動部１４１に出力する。
【００４６】
液晶駆動部１４１が、ＯＳＤ処理部１３３から入力される画像情報に従って液晶ライトバルブ１４３Ｒ，１４３Ｇ，１４３Ｂを駆動すると、液晶ライトバルブ１４３Ｒ，１４３Ｇ，１４３Ｂは、画像情報に応じた画像を形成し、この画像が投写レンズ１４５から投写される。この結果、投写面ＳＣには、左眼用の画像と右眼用の画像がフレーム単位で交互に表示される。携帯電話機能部１１０の画像生成部１１４、およびプロジェクター機能部１２０が特許請求の範囲における表示部に相当する。
【００４７】
送受信制御部１５０は、無線通信用電波の送受信を行うアンテナ、アンテナを介して送受信される信号の変調・復調処理を行う無線部、ベースバンド信号処理を行うベースバンド信号処理部（いずれも図示せず）を有して構成されている。送受信制御部１５０は、第１の液晶シャッターメガネ２００および第２の液晶シャッターメガネ３００に対して、無線通信による制御信号を送受信する。本実施形態では、送受信制御部１５０は、携帯電話機１００に内蔵するものとしているが、携帯電話機１００にケーブル等で外付けされる外部装置の態様としてもよい。
【００４８】
図３は、第１の液晶シャッターメガネ２００および第２の液晶シャッターメガネ３００の内部構成を示すブロック図である。
第１の液晶シャッターメガネ２００および第２の液晶シャッターメガネ３００は同様な構成である。図３に示すように、第１の液晶シャッターメガネ２００および第２の液晶シャッターメガネ３００は、上述した液晶シャッター２６０Ｌ（３６０Ｌ）、２６０Ｒ（３６０Ｒ）に加えて、送受信部２１０（３１０）、制御部２２０（３２０）、シャッター駆動部２３０（３３０）、シャッター閉継続フラグ２４０（３４０）、ゲスト設定スイッチ２５０（３５０）、装着検出センサー２７０（３７０）等を備えている。
【００４９】
送受信部２１０（３１０）は、無線通信用電波の送受信を行うアンテナ、アンテナを介して送受信される信号の変調・復調処理を行う無線部、ベースバンド信号処理を行うベースバンド信号処理部（いずれも図示せず）を有して構成されている。送受信部２１０（３１０）は、携帯電話機１００から発せられた無線通信信号である制御信号を受信し、制御部２２０（３２０）に通知する。
【００５０】
送受信部２１０（３１０）が受信する制御信号の種類としては、左眼用の液晶シャッター２６０Ｌ（３６０Ｌ）を開放させるための「Ｌ−ＯＰ」信号、左眼用の液晶シャッター２６０Ｌ（３６０Ｌ）を閉塞させるための「Ｌ−ＣＬ」信号、右眼用の液晶シャッター２６０Ｒ（３６０Ｒ）を開放させるための「Ｒ−ＯＰ」信号、右眼用の液晶シャッター２６０Ｒ（３６０Ｒ）を閉塞させるための「Ｒ−ＣＬ」信号、さらに、「Ｌ−ＯＰ」信号や「Ｒ−ＯＰ」信号を受信しても、液晶シャッターを開放させないための「ＣＬＣ」信号、当該液晶シャッターメガネが装着されているか否かを問い合わせるためのメガネ装着問合せ信号等がある。
【００５１】
また、送受信部２１０（３１０）は、制御部２２０（３２０）からの指示に基づいて、当該液晶シャッターメガネがユーザーに装着されていないことを示すメガネ非装着信号を携帯電話機１００に送信する。なお、当該液晶シャッターメガネがユーザーに装着されている場合には、メガネ装着信号を送信してもよい。送受信部２１０（３１０）が、特許請求の範囲における送信部に相当する。
【００５２】
制御部２２０（３２０）は、受信した制御信号に基づいて、液晶シャッター２６０Ｌ（３６０Ｌ）、２６０Ｒ（３６０Ｒ）の開閉を制御するための制御情報を生成し、シャッター駆動部２３０（３３０）に出力する。また、制御部２２０（３２０）は、ゲスト設定スイッチ２５０（３５０）の設定状態（「メイン状態（オフ）」または「ゲスト状態（オン）」）を読み込む。さらに、制御部２２０（３２０）は、シャッター閉継続フラグ２４０（３４０）にアクセスしてシャッター閉継続フラグ２４０（３４０）を立てたり、クリアしたり、参照したりする。さらに、制御部２２０（３２０）は、装着検出センサー２７０（３７０）から、当該液晶シャッターメガネの装着状態を読み込む。
【００５３】
シャッター駆動部２３０（３３０）は、入力される制御情報に基づいて液晶シャッター２６０Ｌ（３６０Ｌ），２６０Ｒ（３６０Ｒ）の開閉（開放および閉塞）を駆動する。
【００５４】
液晶シャッター２６０Ｌ（３６０Ｌ），２６０Ｒ（３６０Ｒ）は、それぞれ液晶パネルの表裏両側に偏光板が貼り付けられた構成を有している。液晶シャッター２６０Ｌ（３６０Ｌ）は、シャッター駆動部２３０（３３０）の駆動により、左眼に入射する光を透過させる開放状態と、左眼に入射する光を遮蔽する閉塞状態とを切り替え、液晶シャッター２６０Ｒ（３６０Ｒ）は、シャッター駆動部２３０（３３０）の駆動により、右眼に入射する光を透過させる開放状態と、右眼に入射する光を遮蔽する閉塞状態とを切り替える。
【００５５】
シャッター閉継続フラグ２４０（３４０）は、第１の液晶シャッターメガネ２００または第２の液晶シャッターメガネ３００がシャッター開信号（「Ｌ−ＯＰ」または「Ｒ−ＯＰ」）を受信した際に、液晶シャッター２６０Ｌ、３６０Ｌ、２６０Ｒまたは３６０Ｒを、開放するか閉塞状態を継続するかを判断するためのフラグである。シャッター閉継続フラグ２４０（３４０）は、メモリーによって構成されている。シャッター閉継続フラグ２４０（３４０）は、制御部２２０（３２０）によって設定され、制御部２２０（３２０）によってクリアされる。制御部２２０（３２０）は、当該液晶シャッターメガネがゲスト状態で、且つシャッター閉継続フラグ２４０（３４０）が立っている場合には、液晶シャッターを開放させない（即ち閉塞状態を継続する）。
【００５６】
ゲスト設定スイッチ２５０（３５０）は、ユーザーが第１の液晶シャッターメガネ２００および第２の液晶シャッターメガネ３００を「メイン状態」にするか「ゲスト状態」にするかの指示を行うためのスイッチである。本実施形態では、スイッチがオフの場合は「メイン状態」とし、オンの場合は「ゲスト状態」とする。ゲスト設定スイッチ２５０（３５０）の設定状態は、制御部２２０（３２０）によって読み出される。本実施形態では、第１の液晶シャッターメガネ２００はオフに設定されているものとし、第２の液晶シャッターメガネ３００はオンに設定されているものとする。
【００５７】
装着検出センサー２７０（３７０）は、当該液晶シャッターメガネがユーザーに装着されているか否かを検出するセンサーである。装着検出センサー２７０（３７０）は、光センサーや熱センサーとしてもよいし、装着されると押下されるボタン形状の押圧センサーとしてもよい。装着検出センサー２７０（３７０）が、特許請求の範囲における装着判断部に相当する。
【００５８】
情報通信システム１は、上記のように構成されており、携帯電話機１００の画像処理部１３２が、左眼用の画像の表示と右眼用の画像の表示とを切り替える。そして、第１の液晶シャッターメガネ２００および第２の液晶シャッターメガネ３００が、携帯電話機１００から送信される制御信号に基づいて、開放する液晶シャッター２６０Ｌ，２６０Ｒ，３６０Ｌ，３６０Ｒを切り替えることにより、左眼用の画像を左眼のみに認識させ、右眼用の画像を右眼のみに認識させることができる。
【００５９】
ここで、３Ｄ画像を表示する際の情報通信システム１の携帯電話機１００、第１の液晶シャッターメガネ２００および第２の液晶シャッターメガネ３００の動作について説明する。
図４は、情報通信システム１の動作を説明するためのタイミングチャートである。
【００６０】
図４のタイミングチャートでは、携帯電話機１００のプロジェクター機能部１２０が表示（投写）する表示画像と、携帯電話機１００が出力する制御信号と、第１の液晶シャッターメガネ２００の左眼用液晶シャッター２６０Ｌの開閉状態および右眼用液晶シャッター２６０Ｒの開閉状態と、第２の液晶シャッターメガネ３００の左眼用液晶シャッター３６０Ｌの開閉状態および右眼用液晶シャッター３６０Ｒの開閉状態とを表している。なお、図４では、横軸は時間軸としている。
【００６１】
携帯電話機１００のプロジェクター機能部１２０は、左眼用画像Ｌ１、右眼用画像Ｒ１、左眼用画像Ｌ２、右眼用画像Ｒ２、左眼用画像Ｌ３、右眼用画像Ｒ３、左眼用画像Ｌ４、という順番で、表示画像を表示（投写）する。
【００６２】
そして、携帯電話機１００は、左眼用画像Ｌ１，Ｌ２，Ｌ３，Ｌ４の表示開始後に、左眼用の液晶シャッター２６０Ｌ，３６０Ｌを開放させるためのシャッター開信号「Ｌ−ＯＰ」を、第１の液晶シャッターメガネ２００および第２の液晶シャッターメガネ３００に送信する。
【００６３】
さらに、携帯電話機１００は、左眼用画像Ｌ１，Ｌ２，Ｌ３，Ｌ４の表示終了前に、左眼用の液晶シャッター２６０Ｌ，３６０Ｌを閉塞させるためのシャッター閉信号「Ｌ−ＣＬ」を第１の液晶シャッターメガネ２００および第２の液晶シャッターメガネ３００に送信する。なお、本実施形態では、携帯電話機１００は、第１の液晶シャッターメガネ２００および第２の液晶シャッターメガネ３００に対して、個別に制御信号の送信は行わない。つまり、携帯電話機１００の送受信制御部１５０が送信した制御信号を、第１の液晶シャッターメガネ２００の送受信部２１０、および第２の液晶シャッターメガネ３００の送受信部３１０が、それぞれ受信するものとする。
【００６４】
携帯電話機１００は、右眼用画像Ｒ１，Ｒ２，Ｒ３，Ｒ４の表示開始後に、右眼用の液晶シャッター２６０Ｒ，３６０Ｒを開放させるためのシャッター開信号「Ｒ−ＯＰ」を、第１の液晶シャッターメガネ２００および第２の液晶シャッターメガネ３００に送信する。
【００６５】
さらに、携帯電話機１００は、右眼用画像Ｒ１，Ｒ２，Ｒ３，Ｒ４の表示終了前に、右眼用の液晶シャッター２６０Ｒ，３６０Ｒを閉塞させるためのシャッター閉信号「Ｒ−ＣＬ」を第１の液晶シャッターメガネ２００および第２の液晶シャッターメガネ３００に送信する。
【００６６】
第１の液晶シャッターメガネ２００は、シャッター開信号「Ｌ−ＯＰ」を受信すると、左眼用液晶シャッター２６０Ｌを開放する。図４では、開放動作を波形の立ち上がりで表している。つまり、波形の「Ｌｏｗ」状態が液晶シャッターの閉塞を表し、「Ｈｉｇｈ」状態が液晶シャッターの開放を表している。また、第１の液晶シャッターメガネ２００は、シャッター閉信号「Ｌ−ＣＬ」を受信すると、左眼用液晶シャッター２６０Ｌを閉塞する。図４では、閉塞を波形の立ち下がりで表している。
【００６７】
第１の液晶シャッターメガネ２００は、シャッター開信号「Ｒ−ＯＰ」を受信すると、右眼用液晶シャッター２６０Ｒを開放する。図４では、開放を波形の立ち上がりで表している。また、第１の液晶シャッターメガネ２００は、シャッター閉信号「Ｒ−ＣＬ」を受信すると、右眼用液晶シャッター２６０Ｒを閉塞する。図４では、閉塞を波形の立ち下がりで表している。
【００６８】
第２の液晶シャッターメガネ３００は、シャッター開信号「Ｌ−ＯＰ」を受信すると、左眼用液晶シャッター３６０Ｌを開放する。また、第２の液晶シャッターメガネ３００は、シャッター閉信号「Ｌ−ＣＬ」を受信すると、左眼用液晶シャッター３６０Ｌを閉塞する。
【００６９】
第２の液晶シャッターメガネ３００は、シャッター開信号「Ｒ−ＯＰ」を受信すると、右眼用液晶シャッター３６０Ｒを開放する。また、第２の液晶シャッターメガネ３００は、シャッター閉信号「Ｒ−ＣＬ」を受信すると、右眼用液晶シャッター３６０Ｒを閉塞する。
【００７０】
上述したように、携帯電話機１００は、左眼用の画像の表示と右眼用の画像の表示とを切り替える。そして、携帯電話機１００は、制御信号を液晶シャッターメガネ（第１の液晶シャッターメガネ２００および第２の液晶シャッターメガネ３００）に送信する。第１の液晶シャッターメガネ２００および第２の液晶シャッターメガネ３００は、携帯電話機１００から送信される制御信号に基づいて、液晶シャッター２６０Ｌ，２６０Ｒ，３６０Ｌ，３６０Ｒの開閉を切り替える。これにより、携帯電話機１００と、第１の液晶シャッターメガネ２００および第２の液晶シャッターメガネ３００とは、時分割で同期をとることが可能である。
【００７１】
次に、携帯電話機１００が表示する画像について説明する。
図５は、携帯電話機１００が表示する画像の説明図であり、（ａ）は、通常画像の説明図、（ｂ）は、電子メール受信時の画像の説明図である。
【００７２】
図５（ａ）に示すように、通常画像として、風景画像Ｇ１が表示されている。また、図５（ｂ）には、風景画像Ｇ１と同様の画像に対して、電子メールを受信したことを表すメールアイコン画像Ｍ１が重畳（付加表示）された画像Ｇ２が表示されている。
【００７３】
ここで、第１の液晶シャッターメガネ２００を装着しているメインユーザーにはメールアイコン画像Ｍ１を視認させて、第２の液晶シャッターメガネ３００を装着しているゲストユーザーにはメールアイコン画像Ｍ１を視認させないための処理について説明する。
【００７４】
まず、携帯電話機１００が、画像情報に基づく画像フレームを切り替える際に行う判断処理について説明する。
図６は、携帯電話機１００が画像フレームを切り替える際に行う判断処理のフローチャートである。
【００７５】
第１の制御部１１３は、電子メールを受信しているか否かを判断する（ステップＳ１０１）。電子メールを受信していれば（ステップＳ１０１：ＹＥＳ）、第２の制御部１２１は、ゲスト状態の液晶シャッターメガネがユーザーに装着されているか否かを判断する（ステップＳ１０２）。具体的には、第２の制御部１２１は、送受信制御部１５０に指示を出して、メガネ装着問合せ信号を送信して、その結果情報の信号を受信して判断する。
【００７６】
送受信制御部１５０が、ゲスト状態の液晶シャッターメガネ（本実施形態では第２の液晶シャッターメガネ３００）から、装着されているという情報を受け付けると（ステップＳ１０２：ＹＥＳ）、第２の制御部１２１は、送受信制御部１５０に指示を出して、シャッター閉継続信号「ＣＬＣ」を送信させる（ステップＳ１０３）。このシャッター閉継続信号「ＣＬＣ」信号が、特許請求の範囲における所定の制御信号に相当する。また、第２の制御部１２１および送受信制御部１５０が、信号制御部およびシャッター制御部に相当する。
【００７７】
そして、第１の制御部１１３は、画像生成部１１４に指示を出して、メールアイコン画像Ｍ１を付加（重畳）表示させる（ステップＳ１０４）。そして、画像フレームを切り替える際の判断処理を終了する。
【００７８】
送受信制御部１５０が、ゲスト状態の液晶シャッターメガネが非装着であると判断すると（ステップＳ１０２：ＮＯ）、画像フレームを切り替える際の判断処理を終了する。また、電子メールを受信していなければ（ステップＳ１０１：ＮＯ）、当該判断処理を終了する。なお、当該判断処理では、シャッター閉継続信号「ＣＬＣ」の後で送信するシャッター開信号「Ｌ−ＯＰ」、シャッター開信号「Ｒ−ＯＰ」についての説明は省略する。
【００７９】
次に、第１の液晶シャッターメガネ２００および第２の液晶シャッターメガネ３００が、制御信号を受信した際に行う処理について説明する。第１の液晶シャッターメガネ２００および第２の液晶シャッターメガネ３００は、同様の構成となっており、同様な処理を行うためのプログラムが内蔵されている。
図７は、第１の液晶シャッターメガネ２００および第２の液晶シャッターメガネ３００の処理のフローチャートである。
【００８０】
送受信部２１０（３１０）が携帯電話機１００から制御信号を受信すると、制御部２２０（３２０）は、受信した制御信号がシャッター開信号（「Ｌ−ＯＰ」または「Ｒ−ＯＰ」）か否かを判断する（ステップＳ２０１）。シャッター開信号であった場合（ステップＳ２０１：ＹＥＳ）、制御部２２０（３２０）は、ゲスト設定スイッチ２５０（３５０）がオンされているか否か、即ちゲスト状態か否かを判断する（ステップＳ２０２）。
【００８１】
ゲスト設定スイッチ２５０（３５０）がオンされていなければ（ステップＳ２０２：ＮＯ）、制御部２２０（３２０）は、シャッター駆動部２３０（３３０）に指示を出して、シャッター開信号が表す左眼用液晶シャッター２６０Ｌ（３６０Ｌ）、または右眼用液晶シャッター２６０Ｒ（３６０Ｒ）を開放させる（ステップＳ２０４）。そして、ステップＳ２０１に移行する。
【００８２】
ゲスト設定スイッチ２５０（３５０）がオンされていれば（ステップＳ２０２：ＹＥＳ）、制御部２２０（３２０）は、シャッター閉継続フラグ２４０（３４０）が立っているか否かを判断する（ステップＳ２０３）。シャッター閉継続フラグ２４０（３４０）が立っていなければ（ステップＳ２０３：ＮＯ）、ステップＳ２０４に移行して、液晶シャッターを開放させる。
【００８３】
シャッター閉継続フラグ２４０（３４０）が立っていれば（ステップＳ２０３：ＹＥＳ）、制御部２２０（３２０）は、シャッター閉継続フラグ２４０（３４０）をクリアする（ステップＳ２０５）。そして、ステップＳ２０１に移行する。
【００８４】
受信した制御信号がシャッター開信号でなければ（ステップＳ２０１：ＮＯ）、制御部２２０（３２０）は、受信した制御信号がシャッター閉信号か否かを判断する（ステップＳ２０６）。シャッター閉信号であった場合（ステップＳ２０６：ＹＥＳ）、制御部２２０（３２０）は、シャッター駆動部２３０（３３０）に指示を出して、シャッター開信号が表す左眼用液晶シャッター２６０Ｌ（３６０Ｌ）、または右眼用液晶シャッター２６０Ｒ（３６０Ｒ）を閉塞させる（ステップＳ２０７）。そして、ステップＳ２０１に移行する。
【００８５】
受信した制御信号がシャッター閉信号でなければ（ステップＳ２０６：ＮＯ）、制御部２２０（３２０）は、受信した制御信号がシャッター閉継続信号か否かを判断する（ステップＳ２０８）。シャッター閉継続信号であった場合（ステップＳ２０８：ＹＥＳ）、制御部２２０（３２０）は、ゲスト設定スイッチ２５０（３５０）がオンされているか否かを判断する（ステップＳ２０９）。
【００８６】
ゲスト設定スイッチ２５０（３５０）がオンされていれば（ステップＳ２０９：ＹＥＳ）、制御部２２０（３２０）は、シャッター閉継続フラグ２４０（３４０）を立てる（ステップＳ２１０）。そして、ステップＳ２０１に移行する。ゲスト設定スイッチ２５０（３５０）がオンされていなければ（ステップＳ２０９：ＮＯ）、ステップＳ２０１に移行する。
【００８７】
受信した制御信号がシャッター閉継続信号でない場合（ステップＳ２０８：ＮＯ）、制御部２２０（３２０）は、受信した制御信号がメガネ装着問合せ信号か否かを判断する（ステップＳ２１１）。メガネ装着問合せ信号であった場合（ステップＳ２１１：ＹＥＳ）、制御部２２０（３２０）は、ゲスト設定スイッチ２５０（３５０）がオンされているか否かを判断する（ステップＳ２１２）。
【００８８】
ゲスト設定スイッチ２５０（３５０）がオンされていれば（ステップＳ２１２：ＹＥＳ）、制御部２２０（３２０）は、装着検出センサー２７０（３７０）から情報を入力して、メガネが装着されているか否かを判断する（ステップＳ２１３）。メガネが非装着の場合（ステップＳ２１３：ＮＯ）、制御部２２０（３２０）は、送受信部２１０（３１０）に指示を出して、メガネ非装着信号を携帯電話機１００に送信する（ステップＳ２１４）。そして、ステップＳ２０１に移行する。
【００８９】
メガネが装着されている場合（ステップＳ２１３：ＹＥＳ）、ステップＳ２０１に移行する。また、ゲスト設定スイッチ２５０（３５０）がオンされていなければ（ステップＳ２１２：ＮＯ）、ステップＳ２０１に移行する。また、メガネ装着問合せ信号を受信していなければ（ステップＳ２１１：ＮＯ）、ステップＳ２０１に移行する。
【００９０】
上述したように、携帯電話機１００がシャッター閉継続信号を送信すると、液晶シャッターメガネはシャッター閉継続フラグ２４０（３４０）を立てる。そして、液晶シャッターメガネは、シャッター開信号を受信した際に、ゲスト設定スイッチ２５０（３５０）がオンの状態で、且つシャッター閉継続フラグ２４０（３４０）が立っていれば、液晶シャッターを開放せずに、閉塞状態を継続する。
【００９１】
次に、携帯電話機１００が、メールアイコン画像を、左眼用画像と右眼用画像とに表示させる場合の情報通信システム１の動作を説明する。
図８は、メールアイコン画像を表示させる場合の情報通信システム１の動作を説明するためのタイミングチャートである。また、第１の液晶シャッターメガネ２００のゲスト設定スイッチ２５０はオフ（メイン状態）になっており、第２の液晶シャッターメガネ３００のゲスト設定スイッチ３５０はオン（ゲスト状態）になっている。
【００９２】
図８のタイミングチャートに示すように、携帯電話機１００は、電子メールを受信すると、表示画像Ｌ２にメールアイコン画像を重畳して表示させる。このとき、携帯電話機１００は、制御信号としてシャッター閉継続信号「ＣＬＣ」を送信する。さらに、シャッター開信号「Ｌ−ＯＰ」を送信する。
【００９３】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、メールアイコン画像を視認することができる。
【００９４】
第２の液晶シャッターメガネ３００は、シャッター開信号「Ｌ−ＯＰ」を受信しても、ゲスト状態で且つシャッター閉継続信号「ＣＬＣ」を受信しているため、左眼用液晶シャッター３６０Ｌの閉塞を継続する。よって、第２の液晶シャッターメガネ３００を装着しているゲストユーザーは、メールアイコン画像を視認できない。
【００９５】
次に、携帯電話機１００は、表示画像Ｒ２にメールアイコン画像を重畳して表示させる。このとき、携帯電話機１００は、シャッター閉継続信号「ＣＬＣ」を送信する。さらに、シャッター開信号「Ｒ−ＯＰ」を送信する。
【００９６】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、メールアイコン画像を視認することができる。
【００９７】
第２の液晶シャッターメガネ３００は、シャッター開信号「Ｒ−ＯＰ」を受信しても、ゲスト状態で且つシャッター閉継続信号「ＣＬＣ」を受信しているため、右眼用液晶シャッター３６０Ｒの閉塞を継続する。よって、第２の液晶シャッターメガネ３００を装着しているゲストユーザーは、メールアイコン画像を視認できない。
【００９８】
次に、携帯電話機１００が、フェイク画像を表示させる場合の情報通信システム１の動作を説明する。
図９は、フェイク画像を表示させる場合の情報通信システム１の動作を説明するためのタイミングチャートである。また、第１の液晶シャッターメガネ２００のゲスト設定スイッチ２５０はオフ（メイン状態）になっており、第２の液晶シャッターメガネ３００のゲスト設定スイッチ３５０はオン（ゲスト状態）になっている。
【００９９】
図９のタイミングチャートでは、携帯電話機１００が電子メールを受信すると、左眼用に表示画像Ｌ２にメールアイコン画像を重畳して表示させる。このとき、携帯電話機１００は、シャッター閉継続信号「ＣＬＣ」を送信する。さらに、シャッター開信号「Ｌ−ＯＰ」を送信する。
【０１００】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、メールアイコン画像を左眼で視認することができる。
【０１０１】
第２の液晶シャッターメガネ３００は、シャッター開信号「Ｌ−ＯＰ」を受信しても、ゲスト状態で且つシャッター閉継続信号「ＣＬＣ」を受信しているため、左眼用液晶シャッター３６０Ｌの閉塞を継続する。よって、第２の液晶シャッターメガネ３００を装着しているゲストユーザーは、メールアイコン画像を視認できない。
【０１０２】
次に、携帯電話機１００は、表示画像Ｒ２にフェイク画像として電池アイコン画像を重畳して表示させる。そして、シャッター開信号「Ｒ−ＯＰ」を送信する。
【０１０３】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、電池アイコン画像を右眼で視認することができる。
【０１０４】
第２の液晶シャッターメガネ３００は、シャッター開信号「Ｒ−ＯＰ」を受信すると、右眼用液晶シャッター３６０Ｒを開放する。よって、第２の液晶シャッターメガネ３００を装着しているゲストユーザーは、電池アイコン画像を右眼で視認することができる。
【０１０５】
さらに、携帯電話機１００は、表示画像Ｌ３にフェイク画像として電池アイコン画像を重畳して表示させる。そして、シャッター開信号「Ｌ−ＯＰ」を送信する。
【０１０６】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、電池アイコン画像を左眼で視認することができる。
【０１０７】
第２の液晶シャッターメガネ３００は、シャッター開信号「Ｌ−ＯＰ」を受信すると、左眼用液晶シャッター３６０Ｌを開放する。よって、第２の液晶シャッターメガネ３００を装着しているゲストユーザーは、電池アイコン画像を左眼で視認することができる。
【０１０８】
さらに、図９のタイミングチャートでは、携帯電話機１００は、右眼用に表示画像Ｒ４にメールアイコン画像を重畳して表示させる。このとき、携帯電話機１００は、シャッター閉継続信号「ＣＬＣ」を送信する。さらに、シャッター開信号「Ｒ−ＯＰ」を送信する。
【０１０９】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、メールアイコン画像を右眼で視認することができる。
【０１１０】
第２の液晶シャッターメガネ３００は、シャッター開信号「Ｒ−ＯＰ」を受信しても、ゲスト状態で且つシャッター閉継続信号「ＣＬＣ」を受信しているため、右眼用液晶シャッター３６０Ｒの閉塞を継続する。よって、第２の液晶シャッターメガネ３００を装着しているゲストユーザーは、メールアイコン画像を視認できない。
【０１１１】
次に、携帯電話機１００は、表示画像Ｌ５にフェイク画像として電池アイコン画像を重畳して表示させる。そして、シャッター開信号「Ｌ−ＯＰ」を送信する。
【０１１２】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、電池アイコン画像を左眼で視認することができる。
【０１１３】
第２の液晶シャッターメガネ３００は、シャッター開信号「Ｌ−ＯＰ」を受信すると、左眼用液晶シャッター３６０Ｌを開放する。よって、第２の液晶シャッターメガネ３００を装着しているゲストユーザーは、電池アイコン画像を左眼で視認することができる。
【０１１４】
さらに、携帯電話機１００は、表示画像Ｒ５にフェイク画像として電池アイコン画像を重畳して表示させる。そして、シャッター開信号「Ｒ−ＯＰ」を送信する。
【０１１５】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、電池アイコン画像を右眼で視認することができる。
【０１１６】
第２の液晶シャッターメガネ３００は、シャッター開信号「Ｒ−ＯＰ」を受信すると、右眼用液晶シャッター３６０Ｒを開放する。よって、第２の液晶シャッターメガネ３００を装着しているゲストユーザーは、電池アイコン画像を右眼で視認することができる。
【０１１７】
このときの携帯電話機１００が表示する電池アイコン画像について説明する。
図１０は、携帯電話機１００のプロジェクター機能部１２０がフェイク画像としての電池アイコン画像を表示している画像の説明図である。
【０１１８】
図１０に示すように、画像Ｇ３には、メールアイコン画像Ｍ１は表示されておらず、フェイク画像としての電池アイコン画像Ｍ２が重畳（付加表示）されている。
【０１１９】
上述したように、第２の液晶シャッターメガネ３００を装着したゲストユーザーは、メールアイコン画像を含む画像は視認できないが、電池アイコン画像を含む画像を視認できる。また、第１の液晶シャッターメガネ２００を装着したメインユーザーは、メールアイコン画像を含む画像、および電池アイコン画像を含む画像を視認できる。
【０１２０】
次に、第２の液晶シャッターメガネ３００が非装着の場合の情報通信システム１の動作を説明する。
図１１は、第２の液晶シャッターメガネ３００が非装着の場合の情報通信システム１の動作を説明するためのタイミングチャートである。また、第１の液晶シャッターメガネ２００のゲスト設定スイッチ２５０はオフ（メイン状態）になっており、第２の液晶シャッターメガネ３００のゲスト設定スイッチ３５０はオン（ゲスト状態）になっている。
【０１２１】
図１１のタイミングチャートに示すように、携帯電話機１００は、電子メールを受信すると、図６および図７のフローチャートで説明したように、ゲスト状態の液晶シャッターメガネ、即ち第２の液晶シャッターメガネ３００が、ユーザーに装着されているか否かを判定する。そして、非装着の場合には、第２の液晶シャッターメガネ３００は、メガネ非装着信号を送信する。携帯電話機１００は、メガネ非装着信号を受信するとメールアイコン画像を表示しない。即ちメールアイコン画像を含まない画像を表示する。よって、メインユーザーもゲストユーザーもメガネを非装着であってもメールアイコン画像を視認できない。
【０１２２】
特許請求の範囲に記載の「第１のシャッターメガネより第２のシャッターメガネのシャッターの光の透過率を低くさせる制御信号」には、実施形態のように一つの種類の制御信号の中に「シャッター閉継続信号「ＣＬＣ」」を含めて送信する場合も含む。すなわち、第１の液晶シャッターメガネ２００および第２の液晶シャッターメガネ３００には、同じ制御信号を送信するものの、メガネの設定に起因して、結果的に、第１の液晶シャッターメガネ２００より第２の液晶シャッターメガネ３００のシャッターの光の透過率を低くさせることが可能な信号（実施形態では、シャッター閉継続信号「ＣＬＣ」）も「第１のシャッターメガネより第２のシャッターメガネのシャッターの光の透過率を低くさせる制御信号」に含まれる。
【０１２３】
上述した実施形態によれば、以下の効果が得られる。
（１）携帯電話機１００は、電子メールを受信してメールアイコン画像を重畳表示する際に、シャッター閉継続信号「ＣＬＣ」を送信する。ゲスト設定スイッチ３５０がオン（ゲスト状態）になっている第２の液晶シャッターメガネ３００は、シャッター閉継続信号「ＣＬＣ」を受信すると、シャッター閉継続フラグ３４０を立てる。そして、携帯電話機１００からシャッター開信号「Ｌ−ＯＰ」または「Ｒ−ＯＰ」を受信すると、第２の液晶シャッターメガネ３００は、液晶シャッター３６０Ｌまたは３６０Ｒを閉塞した状態を継続するため、第２の液晶シャッターメガネ３００を装着しているゲストユーザーは、メールアイコン画像を視認できない。これにより、第１の液晶シャッターメガネ２００を装着しているメインユーザーには、メールアイコン画像を視認させ、第２の液晶シャッターメガネ３００を装着しているゲストユーザーには、メールアイコン画像を視認させないようにすることが可能となる。つまり、携帯電話機１００が電子メールを受信したことをゲストユーザーに認識させたくない場合に、メールアイコン画像を視認させないようにすることが可能になる。
【０１２４】
（２）携帯電話機１００は、メールアイコン画像を重畳表示する画像フレームとは異なる画像フレームに、フェイク画像として電池アイコン画像を重畳表示する。そして、携帯電話機１００は、メールアイコン画像を重畳表示する画像フレームではシャッター閉継続信号「ＣＬＣ」を送信し、電池アイコン画像を重畳表示する画像フレームではシャッター閉継続信号「ＣＬＣ」を送信しない。これにより、第２の液晶シャッターメガネ３００を装着しているゲストユーザーが、電池アイコン画像が重畳表示されている画像を視認することで、メールアイコン画像が表示されている画像フレームを視認できないことによって感じる違和感を、低減（カモフラージュ）することができる。より具体的には、第２のシャッターメガネ３００を装着しているゲストユーザーはメールアイコン画像が表示されている期間を視認できない。それにより、ゲストユーザーは、コマ落ちした画像を視認することになり、例えば、動画像の動きがスムーズでない、動画像がカクカクとしている等の違和感を覚える可能性がある。本発明では、フェイク画像をゲストユーザーに視認させることで、上記の「動画像の動きがスムーズでない、動画像がカクカクしている等」の原因は、フェイク画像を表示することによる装置の表示負荷（ＣＰＵ等の負荷等）であると勘違いさせることができる。したがって、ゲストユーザーに、自らが見えていない期間が存在すること（コマ落ち画像を視認していること）を気づかせないことができる。また、第１の液晶シャッターメガネ２００を装着しているメインユーザーは、メールアイコン画像が表示されている画像フレーム、および電池アイコン画像が表示されている画像フレームを視認することができるため、電子メールの受信状況およびフェイク画像の表示状況を把握することができる。
【０１２５】
（３）携帯電話機１００は、メールアイコン画像を重畳表示する画像フレームの直後の画像フレームに、電池アイコン画像を重畳表示する。そして、携帯電話機１００は、電池アイコン画像を重畳表示する画像フレームでは、シャッター閉継続信号「ＣＬＣ」を送信しない。これにより、メールアイコン画像が重畳表示される画像フレームの近傍で電池アイコン画像が重畳表示されるため、第２の液晶シャッターメガネ３００を装着しているゲストユーザーが、電池アイコン画像を視認することで、メールアイコン画像が表示されている画像フレームを視認できないことによって感じる違和感を、効果的に低減（カモフラージュ）することができる。なお、本実施形態では、電池アイコン画像を重畳表示するのは、メールアイコン画像を重畳表示する画像フレームの直後の画像フレームとしたが、直前の画像フレームでもよい。
【０１２６】
（４）携帯電話機１００は、ゲスト状態である第２の液晶シャッターメガネ３００が装着されているか否かの情報を受信し、第２の液晶シャッターメガネ３００が装着されていない場合には、電子メールを受信してもメールアイコン画像を重畳表示させない。これにより、ゲストユーザーが第２の液晶シャッターメガネ３００を装着していない場合には、メールアイコン画像が表示されないため、ゲストユーザーが、メールアイコン画像を視認してしまうことを回避できる。つまり、ゲストユーザーが電子メールを受信したこと認識してしまうことを回避できる。
【０１２７】
なお、上述した実施形態に限定されず、種々の変更や改良等を加えて実施することが可能である。変形例を以下に述べる。
【０１２８】
（変形例１）上記実施形態では、情報通信装置として携帯電話機１００を用いて説明しているが、通信部１１１と表示部とを有し、シャッターメガネを用いて複数のユーザーが表示部の表示画像を視認する態様の情報通信装置であれば、携帯電話機１００に限定するものではない。
【０１２９】
（変形例２）上記実施形態では、携帯電話機１００の送受信制御部１５０および液晶シャッターメガネ２００（３００）の送受信部２１０（３１０）は、無線通信用電波の送受信を行うものとしたが、無線通信用電波に限定するものではない。例えば、赤外線や光通信等を利用するようにしてもよい。
【０１３０】
（変形例３）上記実施形態では、液晶シャッターメガネが装着されているか否かの判断は、携帯電話機１００が画像フレームを切り替える際に行う判断処理において行うものとした。しかし、液晶シャッターメガネが装着されているか否かの判断は、所定の周期毎に行ってもよい。つまり、所定の周期毎に第２の制御部１２１が送受信制御部１５０に指示を出して、メガネ装着問合せ信号を送信し、その結果情報を受信して、第２の制御部１２１内のメモリー（図示せず）に記憶しておいてもよい。また、ゲスト状態の液晶シャッターメガネが非装着となったときに、当該液晶シャッターメガネから、自発的にメガネ非装着信号を携帯電話機１００に送信し、その情報を第２の制御部１２１内のメモリーに記憶するようにしてもよい。
【０１３１】
（変形例４）上記実施形態では、携帯電話機１００は、第１の液晶シャッターメガネ２００および第２の液晶シャッターメガネ３００に対して、同一のシャッター開信号、シャッター閉信号、シャッター閉継続信号等を送っている。しかし、第１の液晶シャッターメガネ２００および第２の液晶シャッターメガネ３００が、それぞれメイン状態となっているかゲスト状態となっているかの情報を携帯電話機１００に送信するようにし、携帯電話機１００は、メイン状態の液晶シャッターメガネおよびゲスト状態の液晶シャッターメガネに対して、それぞれに必要な制御信号のみを送るようにしてもよい。
【０１３２】
（変形例５）上記実施形態では、外部の画像供給装置から画像情報を入力する場合には、画像情報入力部３０が、入力した画像情報に、画像生成部１１４が生成したアイコン画像情報を合成するものとした。しかし、画像情報入力部３０でアイコン画像情報を合成するのではなく、第１の制御部１１３から第２の制御部１２１に依頼を出して、ＯＳＤ処理部１３３にアイコン画像を合成させる処理を行わせてもよい。
【０１３３】
（変形例６）上記実施形態では、携帯電話機１００が画像に重畳する通知状況画像はメールアイコン画像Ｍ１としたが、メールアイコン画像Ｍ１に限定するものではない。例えば、着信を表す着信アイコン画像としてもよいし、何らかのメッセージを表す画像としてもよい。また、メールアイコン画像Ｍ１に送信者の情報（氏名等）が加えられた画像を通知状況画像としても良い。
【０１３４】
（変形例７）上記実施形態では、携帯電話機１００が画像に重畳するフェイク画像は、電池アイコン画像Ｍ２としたが、電池アイコン画像Ｍ２に限定するものではない。例えば、フェイク画像を、マルチキャスト通信を表すアイコン画像としてもよい。即ち、フェイク画像は、携帯電話機１００が表示するコンテンツ画像および通知状況画像と異なるアイコン画像であって、それらと区別が可能なアイコン画像であれば良い。
【０１３５】
（変形例８）上記実施形態では、画像投写部１４０が表示する画像フレームは、先に左眼用画像、後に右眼用画像の順番としているが、これに限定するものではなく、逆の順番でもよい。
【０１３６】
（変形例９）上記実施形態では、通知状況画像は画像コンテンツ上に重畳して表示されているが、通知状況画像は、必ずしも画像コンテンツ上に重畳して表示される必要はなく、画像コンテンツと重ならないような位置に配置されてもよい。プロジェクター機能部１２０による表示エリア内に表示される視聴すべき本来の画像コンテンツ以外の表示であれば何でもよい。
【０１３７】
（変形例１０）上記実施形態では、３Ｄの画像情報の入力に対応したプロジェクター機能部１２０を有する携帯電話機１００を例にして説明しているが、２Ｄの画像情報が入力されたときに、プロジェクター機能部１２０内部で、３Ｄの画像情報に変換することが可能な携帯電話機（情報通信装置）に適用することも可能である。
【０１３８】
（変形例１１）上記実施形態では、携帯電話機１００のプロジェクター機能部１２０を表示部として説明しているが、表示部はプロジェクターの態様に限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【０１３９】
（変形例１２）上記実施形態では、光源装置１４２は、放電型の光源ランプ１４２ａを有して構成されているが、ＬＥＤ（Light Emitting Diode）光源やレーザー等の固体光源や、その他の光源を用いることもできる。
【０１４０】
（変形例１３）上記実施形態では、プロジェクター機能部１２０は、光変調装置として、透過型の液晶ライトバルブ１４３Ｒ，１４３Ｇ，１４３Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１４１】
１…情報通信システム、５…筐体、５ｂ…背面、５ｔ…天面、２１…操作受付部、２２…液晶ディスプレイ、３０…画像情報入力部、１００…携帯電話機、１１０…携帯電話機能部、１１１…通信部、１１３…第１の制御部、１１４…画像生成部、１２０…プロジェクター機能部、１２１…第２の制御部、１３１…画像情報判定部、１３２…画像処理部、１３３…ＯＳＤ処理部、１４０…画像投写部、１４１…液晶駆動部、１４２…光源装置、１４２ａ…光源ランプ、１４２ｂ…リフレクター、１４３Ｒ，１４３Ｇ，１４３Ｂ…液晶ライトバルブ、１４５…投写レンズ、１５０…送受信制御部、２００…第１の液晶シャッターメガネ、２１０…送受信部、２２０…制御部、２３０…シャッター駆動部、２４０…シャッター閉継続フラグ、２５０…ゲスト設定スイッチ、２６０Ｌ…左眼用液晶シャッター、２６０Ｒ…右眼用液晶シャッター、２７０…装着検出センサー、３００…第２の液晶シャッターメガネ、３１０…送受信部、３２０…制御部、３３０…シャッター駆動部、３４０…シャッター閉継続フラグ、３５０…ゲスト設定スイッチ、３６０Ｌ…左眼用液晶シャッター、３６０Ｒ…右眼用液晶シャッター、３７０…装着検出センサー。
【図１】
2013239946.tif 000003
【図２】
2013239946.tif 000004
【図３】
2013239946.tif 000005
【図４】
2013239946.tif 000006
【図５】
2013239946.tif 000007
【図６】
2013239946.tif 000008
【図７】
2013239946.tif 000009
【図８】
2013239946.tif 000010
【図９】
2013239946.tif 000011
【図１０】
2013239946.tif 000012
【図１１】
2013239946.tif 000013